(57)【要約】【課題】  表示領域の大きさに制限がある場合でも、ユーザが正しい情報を選択するようにする。【解決手段】  表示制御装置１００は、複数の情報のタイトルをそれぞれ所定幅で表示部１０６に表示する表示処理部１０４と、表示部１０６に表示されたタイトルの中から、処理対象のタイトルの選択を受け付ける選択受付部１１２と、選択受付部１１２が受け付けたタイトルの文字列のうち、表示部１０６に表示され得る文字列を考慮して、当該タイトルの詳細情報を表示部１０６に表示するか否かを判断するとともに、タイトルの詳細情報を表示部１０６に表示しないと判断した場合に、当該タイトルの選択を決定する選択決定部１１３と、を含む。表示処理部１０４は、選択決定部１１３がタイトルの詳細情報を表示部１０６に表示すると判断した場合に、当該タイトルの詳細情報を表示部１０６に表示する。【選択図】        図１
2005215347.tif 000002
【特許請求の範囲】
【請求項１】
複数の情報のタイトルをそれぞれ所定幅で表示手段に表示する表示処理手段と、
前記表示手段に表示された前記タイトルの中から、処理対象のタイトルの選択を受け付ける選択受付手段と、
前記選択受付手段が受け付けた前記タイトルの文字列のうち、前記表示手段に表示され得る文字列を考慮して、当該タイトルの詳細情報を前記表示手段に表示するか否かを判断するとともに、前記タイトルの詳細情報を前記表示手段に表示しないと判断した場合に、当該タイトルの選択を決定する選択決定手段と、
を含み、
前記表示処理手段は、前記選択決定手段が前記タイトルの詳細情報を前記表示手段に表示すると判断した場合に、当該タイトルの詳細情報を前記表示手段に表示することを特徴とする表示制御装置。
【請求項２】
請求項１に記載の表示制御装置において、
前記選択決定手段は、前記選択受付手段が受け付けた前記タイトルの文字列全体が前記表示領域に表示され得るか否かを判断し、前記タイトルの文字列全体が前記表示領域に表示され得る場合に、当該タイトルの詳細情報を前記表示手段に表示しないと判断し、当該タイトルの選択を決定することを特徴とする表示制御装置。
【請求項３】
請求項１または２に記載の表示制御装置において、
前記選択決定手段は、前記選択受付手段が受け付けた前記タイトルの文字列全体が前記表示領域に表示され得るか否かを判断し、前記タイトルの文字列全体が前記表示領域に表示され得ない場合に、前記表示手段に表示され得る文字列を含む他のタイトルがあるか否かをさらに判断し、他のタイトルがない場合に、前記選択受付手段が受け付けた前記タイトルの選択を決定することを特徴とする表示制御装置。
【請求項４】
請求項３に記載の表示制御装置において、
前記選択決定手段は、前記他のタイトルがある場合に、前記選択受付手段が受け付けた前記タイトルの詳細情報を前記表示手段に表示することを特徴とする表示制御装置。
【請求項５】
請求項３または４に記載の表示制御装置において、
前記タイトルの詳細情報を前記表示手段に表示した場合、前記選択決定手段は、前記表示手段に表示された前記タイトルの詳細情報に基づき、当該タイトルを選択するか否かの指示をユーザから受け付け、当該ユーザが前記タイトルを選択した場合、当該タイトルの選択を決定するとともに、当該ユーザが前記タイトルを選択しなかった場合、前記他のタイトルの詳細情報を前記表示手段に表示することを特徴とする表示制御装置。
【請求項６】
請求項１乃至５いずれかに記載の表示制御装置において、
前記タイトルの詳細情報は、当該タイトルの文字列全体であることを特徴とする表示制御装置。
【発明の詳細な説明】
【技術分野】
【０００１】
この発明は表示制御装置に関し、とくに、表示領域のサイズを考慮して表示する情報を制御する表示制御装置に関する。
【背景技術】
【０００２】
近年、携帯電話等の小型の携帯機器が普及している。また、ＩＳＤＮ（Integrated Services Digital Network）、ＡＤＳＬ（Asymmetry Digital Subscriber Line）、ＦＴＴＨ（Fiber to the home）等のインフラストラクチャーが整備され、低価格でインターネット等のネットワークに常時接続できるようになった。これにより、電子メールを利用してファクシミリデータを送受信可能なＭＦＰ（Multi Functional Peripheral）等のファクシミリ装置が、今後、一層普及することが予想される。
【０００３】
このような携帯機器やファクシミリ装置には、各種情報を表示するためにＬＣＤ等の表示部が設けられている。これらの装置は、持ち運びの容易性や実装スペースの問題から小型化される傾向にあり、それに伴い表示部の表示領域の大きさにも制限が生じている。特許文献１には、装置状態に応じて所定のマークを表示するようにし、小さな表示領域内でより詳細かつ適切に装置状態の表示を行うことを可能とする表示装置が記載されている。
【特許文献１】特開２００２−３５４１８０
【発明の開示】
【発明が解決しようとする課題】
【０００４】
ところで、上述したように、表示部の表示領域の大きさに制限がある場合、必要な情報すべてが表示されず、そのためにユーザが正確な情報を把握できないという問題があった。たとえば、ネットワークを介して他の端末から複数の情報を取得し、それらの一覧表を閲覧する際に、各情報のタイトルが表示領域に表示しきれないと、どの情報を選択すべきか判断できないという問題があった。
【０００５】
本発明はこうした点に鑑みてなされたもので、その目的は、表示領域の大きさに制限がある場合でも、ユーザが処理対象の情報を正しく選択できるようにする技術の提供にある。
【課題を解決するための手段】
【０００６】
本発明の表示制御装置は、複数の情報のタイトルをそれぞれ所定幅で表示手段に表示する表示処理手段と、表示手段に表示されたタイトルの中から、処理対象のタイトルの選択を受け付ける選択受付手段と、選択受付手段が受け付けたタイトルの文字列のうち、表示手段に表示され得る文字列を考慮して、当該タイトルの詳細情報を表示手段に表示するか否かを判断するとともに、タイトルの詳細情報を表示手段に表示しないと判断した場合に、当該タイトルの選択を決定する選択決定手段と、を含む。ここで、表示処理手段は、選択決定手段がタイトルの詳細情報を表示手段に表示すると判断した場合に、当該タイトルの詳細情報を表示手段に表示する。
【０００７】
ここで、表示手段に表示され得る文字列とは、タイトルに含まれる文字列のうち、所定幅で表示され得る文字列のことである。表示手段に表示され得る文字列は、表示領域のサイズと、１文字を表示するために必要な幅とから検出することができる。タイトルが文字に応じて幅が異なるプロポーショナルフォントで表示される場合、各フォント毎の幅も考慮して表示手段に表示され得る文字列が検出される。選択されたタイトルの文字列全体が表示手段に表示され得る場合、ユーザがタイトルの全体を見てタイトルを選択していることになるので、ユーザが間違いなく目的の情報のタイトルを選択している蓋然性が高い。この場合、選択決定手段は、そのタイトルの選択を決定する。一方、選択されたタイトルの文字列全体が表示手段に表示され得ない場合は、ユーザがタイトルの一部しか見ていないことになるので、ユーザが間違って目的とは異なるタイトルを選択している可能性がある。そのため、選択されたタイトルの詳細情報をさらに表示してユーザへの確認を行う。ここで、詳細情報としては、タイトルの文字列全体を表示することができる。
【０００８】
本発明によれば、表示手段に表示され得る文字列に応じてユーザが目的の情報のタイトルを選択しているか否かを判断して処理対象の情報の選択を決定する。そのため、ユーザがタイトルの一部のみを見て、誤って所望の情報とは異なる情報を選択し、処理が行われるのを防ぐことができる。
【０００９】
本発明の表示制御装置において、選択決定手段は、選択受付手段が受け付けたタイトルの文字列全体が表示領域に表示され得るか否かを判断することができ、タイトルの文字列全体が表示領域に表示され得る場合に、当該タイトルの詳細情報を表示手段に表示しないと判断し、当該タイトルの選択を決定することができる。
【００１０】
上述したように、ユーザが選択したタイトルの文字列全体が表示領域に表示され得る場合、ユーザが正しいタイトルを選択していると考えられるので、選択されたタイトルを処理対象として決定することができる。
【００１１】
本発明の表示制御装置において、選択決定手段は、選択受付手段が受け付けたタイトルの文字列全体が表示領域に表示され得るか否かを判断することができ、タイトルの文字列全体が表示領域に表示され得ない場合に、表示手段に表示され得る文字列を含む他のタイトルがあるか否かをさらに判断し、他のタイトルがない場合に、選択受付手段が受け付けたタイトルの選択を決定することができる。
【００１２】
このようにすれば、ユーザが選択したタイトルの文字列全体が表示領域に表示され得ない場合でも、他に間違いそうなタイトルがない場合、そのタイトルの選択が決定されるので、正しい蓋然性が高いタイトルが選択された場合に、詳細情報を表示するという手間を省くことができる。   
【００１３】
本発明の表示制御装置において、選択決定手段は、他のタイトルがある場合に、選択受付手段が受け付けたタイトルの詳細情報を表示手段に表示することができる。
【００１４】
このようにすれば、類似の複数のタイトルがあり、共通した一部しか表示されていない場合であっても、タイトルの文字列全体が表示されるので、ユーザが正しいタイトルを選択することができる。
【００１５】
本発明の表示制御装置において、タイトルの詳細情報を表示手段に表示した場合、選択決定手段は、表示手段に表示されたタイトルの詳細情報に基づき、当該タイトルを選択するか否かの指示をユーザから受け付けることができ、当該ユーザがタイトルを選択した場合、当該タイトルの選択を決定するとともに、当該ユーザがタイトルを選択しなかった場合、他のタイトルの詳細情報を表示手段に表示することができる。
【００１６】
このようにすれば、ユーザが選択したタイトルが目的の情報のタイトルでなかった場合に、次に所望のタイトルである蓋然性の高いタイトルの詳細情報が表示されるので、ユーザが目的の情報のタイトルを迅速に発見することができる。
【００１７】
なお、以上の構成要素の任意の組合せ、本発明の表現を方法、装置、システム、記録媒体、コンピュータプログラム等の間で変換したものもまた、本発明の態様として有効である。
【発明の効果】
【００１８】
本発明によれば、表示領域の大きさに制限がある場合でも、ユーザが処理対象の情報を正しく選択できるようにすることができる。
【発明を実施するための最良の形態】
【００１９】
本実施の形態における表示制御装置は、ネットワークを介して他の端末から取得した情報のタイトルを表示部に表示してユーザに処理対象のタイトルを選択させる際に、表示画面が小さくてタイトル全体が表示されないような場合、ユーザが誤って類似した他のタイトルを選択することのないよう制御を行う。
【００２０】
図１は、本実施の形態における表示制御装置１００の構成を示すブロック図である。
表示制御装置１００は、取得部１０２と、表示処理部１０４と、表示部１０６と、取得情報記憶部１０８と、機器情報記憶部１１０と、選択受付部１１２と、選択決定部１１３と、送信処理部１１５を含む。取得部１０２および送信処理部１１５は、ネットワーク１３０を介して他の端末１５０ａや１５０ｂと接続される。本実施の形態において、取得部１０２が端末１５０ａから複数のファイルを取得し、これらの複数のファイルの中から、ユーザ１２０により選択されたファイルを送信処理部１１５が端末１５０ｂに送信する場合の処理を例として説明する。
【００２１】
表示制御装置１００の各構成要素は、ハードウエアコンポーネントでいえば、任意のコンピュータのＣＰＵ、メモリ、メモリにロードされた本図の構成要素を実現するプログラム、そのプログラムを格納するハードディスク等の記憶ユニット、ネットワーク接続用インターフェース、ファクシミリ通信用モデム等を中心に実現されるが、その実現方法、装置にはいろいろな変形例があることは、当業者には理解されるところである。これから説明する各図は、ハードウエア単位の構成ではなく、機能単位のブロックを示している。
【００２２】
取得部１０２は、ネットワーク１３０を介して、端末１５０ａから各種ファイル等の情報を取得する。表示処理部１０４は、取得部１０２が取得した情報のタイトルを表示部１０６に表示する処理を行う。また、取得部１０２は、取得した情報を取得情報記憶部１０８に記憶する。
【００２３】
表示部１０６は、たとえば、ＬＥＤ、ＣＲＴモニタ、液晶ディスプレイなどである。
【００２４】
選択受付部１１２は、ユーザ１２０から、表示部１０６に表示されたタイトルの中から、処理対象の情報のタイトルの選択を受け付ける。選択決定部１１３は、選択受付部１１２が受け付けたタイトルの選択を決定するか否かを判断する。選択決定部１１３の処理については後述する。選択決定部１１３により選択が決定されると、送信処理部１１５は、取得情報記憶部１０８から選択されたタイトルの情報を読み出し、端末１５０ｂに送信する。     
【００２５】
機器情報記憶部１１０は、表示処理部１０４がタイトルを表示部１０６に表示する際に、各タイトルを表示可能な文字数等に関する情報を記憶する。
【００２６】
図２は、表示制御装置１００の処理手順を示すフローチャートである。
ユーザ１２０が表示部１０６に表示された複数のタイトルの中からいずれかのタイトルを選択すると、選択受付部１１２は、そのタイトルの選択を受け付ける。つづいて、選択決定部１１３は、選択されたタイトルの文字列全体が表示部１０６に表示されているか否かを判断する（Ｓ１２）。選択決定部１１３は、機器情報記憶部１１０を参照して、表示部１０６が表示可能な文字数がタイトルの文字数より多いか否かによって、タイトルの文字列全体が表示されているか否かを判断することができる。ステップＳ１２において、タイトルの文字列全体が表示されている場合（Ｓ１２のＹＥＳ）、そのタイトルが処理対象のタイトルとして決定される（Ｓ１４）。ステップＳ１４において、タイトルの選択が決定された後、送信処理部１１５による送信処理を行う場合に、さらに、「よろしいですか？」等の問い合わせを行い、ユーザ１２０に確認することもできる。
【００２７】
一方、ステップＳ１２において、タイトルの文字列全体が表示されていない場合（Ｓ１２のＮＯ）、選択決定部１１３は、そのタイトルのうち、表示部１０６に表示された文字列と同一の文字列を含む他のタイトルがあるか否かを判断する（Ｓ１６）。同一の文字列を含む他のタイトルがある場合（Ｓ１６のＹＥＳ）、選択決定部１１３は、表示処理部１０４に指示を行い、表示処理部１０４は、ステップＳ１０で選択されたタイトルの詳細を表示する（Ｓ１８）。ここで、タイトルの詳細とは、たとえば、そのタイトルの文字列全体のことである。また、他の例において、そのタイトルの情報の要約や情報の作成日時、作成者名等、その情報の概要を知るための情報とすることもできる。
【００２８】
このように、表示部１０６の表示領域の大きさに制限があるためにタイトルの文字列全体が表示されていない場合でも、必要に応じてタイトルの情報の概要が表示されるので、ユーザ１２０が所望の情報のタイトルを正しく選択することができる。
【００２９】
つづいて、選択決定部１１３は、詳細情報が表示されたタイトルの選択を決定するか否かの指示を受け付ける（Ｓ２０）。ユーザ１２０がタイトルの選択を決定するとした場合（Ｓ２０のＹＥＳ）、ステップＳ１４に進み、そのタイトルが処理対象のタイトルとして決定される。一方、ステップＳ２０において、ユーザ１２０がタイトルの選択を決定しないとした場合、表示処理部１０４は、ステップＳ１０で選択されたタイトルと同じ文字列を含む他のタイトルの詳細を表示する（Ｓ２２）。これにより、ユーザ１２０は他のタイトルの情報の概要を知ることができる。同じ文字列を含む他のタイトルがなくなるまでこの処理を繰り返す。
【００３０】
一方、ステップＳ１６において、同一の文字列を含む他のタイトルがない場合（Ｓ１６のＮＯ）、ステップＳ１４に進み、ステップＳ１０で選択されたタイトルが処理対象のタイトルとして決定される。
【００３１】
以上の処理手順によれば、表示部１０６の表示画面が小さくてタイトルの文字列全体が表示されていないような場合に、ユーザ１２０が表示部１０６に表示された文字列のみを参考にして誤ったタイトルを選択することのないようにすることができる。
【００３２】
次に、具体例を挙げて説明する。
図３は、取得情報記憶部１０８の内部構成の一部を示す図である。ここで、取得情報記憶部１０８には、「Ｍ機械株式会社決算報告書」１６０ａ、「Ｍ機械株式会社社員名簿」１６０ｂ、「Ｆ企画」１６０ｃ、および「Ｆ電機産業株式会社レポート」１６０ｄというタイトルの４つのファイルが記憶されている。表示処理部１０４は、ユーザからの要求に応じて、取得情報記憶部１０８に記憶されたこれら４つのファイルのタイトルを表示部１０６に表示する。
【００３３】
図４は、表示部１０６に表示される表示画面の例を示す図である。
図４（ａ）は、上記４つのタイトルが表示された画面を示す。ここで、表示部１０６が一行に表示可能な文字数を６文字とする。「Ｍ機械株式会社決算報告書」１６０ａというファイルのタイトルは６文字以上あるので、表示部１０６にはこのうちの最初の６文字「Ｍ機械株式会」１６２ａが表示され、それ以外の文字は表示されない。同様に、「Ｍ機械株式会社社員名簿」１６０ｂというファイルのタイトルも６文字以上あるので、表示部１０６にはこのうちの最初の６文字「Ｍ機械株式会」１６２ｂが表示され、それ以外の文字は表示されない。「Ｆ企画」１６０ｃというファイルのタイトルは、３文字なので、表示部１０６にタイトルの文字列全体「Ｆ企画」１６２ｃが表示される。「Ｆ電機産業株式会社レポート」１６０ｄというファイルのタイトルも６文字以上あるので、表示部１０６にはこのうちの最初の６文字「Ｆ電機産業株」１６２ｄが表示され、それ以外の文字は表示されない。
【００３４】
ユーザ１２０は、このようにして表示された複数のファイルのタイトルを見て、どのファイルの処理を行うかを選択する。選択受付部１１２はユーザ１２０の選択を受け付ける。たとえば、選択受付部１１２が「Ｍ機械株式会」１６２ａの選択を受け付けた場合、選択決定部１１３は、図２のフローチャートに示した手順に従って、選択受付部１１２が受け付けた選択を決定するか否かを判断する。ここで、「Ｍ機械株式会」１６２ａは、タイトルの文字列全体が表示されていないので、ステップＳ１２の判断でＮＯとなり、ステップＳ１６に進む。また、「Ｍ機械株式会」１６２ａと同じ文字列を含む他のタイトル「Ｍ機械株式会」１６２ｂもあるので、ステップＳ１６の判断でＹＥＳとなり、ステップＳ１８に進む。
【００３５】
図４（ｂ）は、「Ｍ機械株式会」１６２ａの詳細情報が表示された画面を示す。ここでは、「Ｍ機械株式会」１６２ａのタイトルの文字列全体「Ｍ株式会社決算報告書」１６０ａが表示される。また、ユーザ１２０にこのタイトルの選択を決定するか否かを問い合わせる情報も表示される。ユーザ１２０が「ＹＥＳ」を選択した場合、「Ｍ機械株式会社決算報告書」１６０ａというタイトルのファイルの選択が決定され、送信処理部１１５は、このファイルをたとえば端末１５０ｂに送信する。
【００３６】
一方、図４（ｂ）において、ユーザが「ＮＯ」を選択した場合、図２のステップＳ２２に進み、次のタイトル、「Ｍ機械株式会」１６２ｂの詳細情報、すなわち「Ｍ機械株式会社社員名簿」１６０ｂが表示される。この状態を図４（ｃ）に示す。
【００３７】
ここで、ユーザ１２０が「ＹＥＳ」を選択した場合、「Ｍ機械株式会社社員名簿」１６０ｂというタイトルのファイルの選択が決定され、送信処理部１１５は、このファイルをたとえば端末１５０ｂに送信する。
【００３８】
以上のように、本実施の形態における表示制御装置１００によれば、表示部１０６の表示領域が小さくて処理対象の情報のタイトルの文字列全体が表示されていない場合、類似のタイトルの他のファイルがある場合は、詳細情報を表示した後に情報の選択を決定するので、ユーザ１２０が間違った情報のタイトルを選択してしまうのを防ぐことができる。さらに、既に処理対象の情報のタイトルの文字列全体が表示されている場合、または類似のタイトルがない場合は、このような詳細情報を表示する処理が省略されるので、処理対象の情報の選択を迅速に行うことができる。
【００３９】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４０】
以上の実施の形態において、選択決定部１１３は、表示部１０６が表示可能な文字数がタイトルの文字数が多いか否かによって、タイトルの文字列全体が表示部１０６に表示されているか否かを判断するとして説明したが、タイトルが文字によって幅が異なるプロポーショナルフォントにより表示されている場合、選択決定部１１３は、各文字の幅を考慮してこの判断を行うことができる。
【００４１】
なお、以上の実施の形態において、選択された情報の処理として、１５０ｂへ送信する例を説明したが、選択された情報を印刷する等、他の種々の処理を行うことができる。
【００４２】
また、以上の実施の形態において、表示制御装置１００が表示部１０６を含む構成として説明したが、表示部１０６は、表示制御装置１００とは異なる他の端末に設けられてもよい。この場合、表示部１０６は、各端末の表示部１０６のサイズを機器情報記憶部１１０に記憶しておき、機器情報記憶部１１０を参照して、各タイトルの文字列全体が表示部１０６に表示されているか否かを判断することができる。
【産業上の利用可能性】
【００４３】
本発明にかかる表示制御装置は、表示領域の大きさに制限がある場合でも、ユーザが処理対象の情報を正しく選択できるようにすることができるという効果を有し、有用である。
【図面の簡単な説明】
【００４４】
【図１】本発明の実施の形態における表示制御装置の構成を示すブロック図である。
【図２】表示制御装置の処理手順を示すフローチャートである。
【図３】取得情報記憶部の内部構成の一部を示す図である。
【図４】表示部に表示される表示画面の例を示す図である。
【符号の説明】
【００４５】
１００  表示制御装置
１０２  取得部
１０４  表示処理部
１０６  表示部
１０８  取得情報記憶部
１１０  機器情報記憶部
１１２  選択受付部
１１３  選択決定部
１１５  送信処理部
１３０  ネットワーク
【図１】
2005215347.tif 000003
【図２】
2005215347.tif 000004
【図３】
2005215347.tif 000005
【図４】
2005215347.tif 000006